(57)【要約】【課題】当該収納庫の移動を阻止する状態と、容易に移動が可能となる状態とを、容易に切り換えられる収納庫を提供する。【解決手段】収納庫１は、下部側に車輪７を有し、物品８が載置される底板６と、該底板の周囲を囲むように該底板を収納し、かつ該底板に対して上下動可能とされ、降下させた状態において下端３ａが床面９に当接し得る側壁３と、該側壁の下端を床面から浮かせた状態に支持する支持部５とを備えている。【選択図】図１
2011000350.tif 000002
【特許請求の範囲】
【請求項１】
下部側に車輪を有し、物品が載置される底板と、該底板の周囲を囲むように該底板を収納し、かつ該底板に対して上下動可能とされ、降下させた状態において下端が床面に当接し得る側壁と、該側壁の下端を床面から浮かせた状態に支持する支持部とを備えていることを特徴とする収納庫。
【請求項２】
請求項１において、
前記側壁の内周面には、前記底板の周縁部上面に対面する段部が周設されていることを特徴とする収納庫。
【請求項３】
請求項１または２において、
当該収納庫は、平面視して略方形状とされており、前記支持部を四隅近傍にそれぞれ設けたことを特徴とする収納庫。
【請求項４】
請求項１乃至３のいずれか１項において、
前記支持部は、前記側壁の下端を床面から浮かせた状態に支持する支持状態と、その支持状態を解除して、該側壁の下降を許容する解除状態との二段階に切り換えられる構造とされていることを特徴とする収納庫。
【請求項５】
請求項１乃至４のいずれか１項において、
前記支持部は、前記側壁の内周側に取り付けられ、かつ前記底板に対して上下に進退し得るスライド部と、該スライド部の進出状態を保持する保持部とを備え、該スライド部を進出状態とさせて該スライド部の底板側端部を前記底板の上面の被当接部に当接させることで、前記側壁の下端を床面から浮かせた状態に支持する構造とされていることを特徴とする収納庫。
【発明の詳細な説明】
【技術分野】
【０００１】
本発明は、物品等が収納される収納庫に関する。
【背景技術】
【０００２】
物品等を収納するための収納庫は、収納空間を区画形成する側壁や底板等を備えており、該底板に物品が載置されて収納される構造とされたものが知られている。このような収納庫は、移動させる必要が生じる場合があるが、例えば、キャビネットや箪笥、本棚等の据え置き型の収納家具では、移動させる際には、移動し易くするために収納されている物品を取り出す必要があり、面倒な作業であった。
また、キャスター等の車輪を底部に設けた収納家具もあるが、移動させる必要がない場合には、車輪が露出し、見栄えが良くないという問題があった。
【０００３】
下記特許文献１では、必要に応じて移動させることができる可動式の収納家具が提案されている。
この可動式収納家具は、家具本体と床面との間に台車収容空間を形成し、該台車収容空間に、台車を収容させた構成としている。また、家具本体の底板に雌ねじ部材を設け、該雌ねじ部材に、該底板の下面から台車の上面に向けて進退する雄ねじ部材を螺合させて家具本体の持ち上げ手段を構成している。
上記可動式収納家具では、上記構成とすることで、移動の必要が生じた際には、上記雄ねじ部材を底板の下面から台車収容空間に向けて進出させて、台車の上面に当接させ、さらに該雄ねじ部材を進出させることで、台車に対して家具本体が持ち上げられ、台車のキャスターの転動が可能となる。一方、移動させる必要がない場合には、上記雄ねじ部材を台車収容空間から後退させて、台車の上面から離反させることで、家具本体の側板の下端が床面に接し、当該家具本体が床面に安定して載置される構成とされている。
【先行技術文献】
【特許文献】
【０００４】
【特許文献１】特開２００２−８５１７７号公報（図１参照）
【発明の概要】
【発明が解決しようとする課題】
【０００５】
しかしながら、上記特許文献１に記載された可動式収納家具では、台車収容空間に収容された台車に対して家具本体を上下動させる必要がある。すなわち、物品が収納された家具本体を上下動させる必要があるので、移動させる状態では、上記持ち上げ手段に、収納された物品及び家具本体の荷重が掛かり、この持ち上げ手段の操作に、比較的大きな力を要するという問題があった。また、物品が収納された家具本体が上下動するため、収納された物品が上下動の際に家具本体内において移動することも考えられる。
【０００６】
本発明は、上記実情に鑑みなされたものであり、当該収納庫の移動を阻止する状態と、容易に移動が可能となる状態とを、容易に切り換えられる収納庫を提供することを目的としている。
【課題を解決するための手段】
【０００７】
前記目的を達成するために、本発明に係る収納庫は、下部側に車輪を有し、物品が載置される底板と、該底板の周囲を囲むように該底板を収納し、かつ該底板に対して上下動可能とされ、降下させた状態において下端が床面に当接し得る側壁と、該側壁の下端を床面から浮かせた状態に支持する支持部とを備えていることを特徴とする。
【０００８】
本発明に係る前記収納庫においては、前記側壁の内周面に、前記底板の周縁部上面に対面する段部を周設するようにしてもよい。
【０００９】
本発明に係る前記いずれかの収納庫においては、当該収納庫を、平面視して略方形状とし、前記支持部を四隅近傍にそれぞれ設けるようにしてもよい。
【００１０】
本発明に係る前記いずれかの収納庫においては、前記支持部を、前記側壁の下端を床面から浮かせた状態に支持する支持状態と、その支持状態を解除して、該側壁の下降を許容する解除状態との二段階に切り換えられる構造としてもよい。
【００１１】
本発明に係る前記いずれかの収納庫においては、前記支持部を、前記側壁の内周側に取り付けられ、かつ前記底板に対して上下に進退し得るスライド部と、該スライド部の進出状態を保持する保持部とを備えた構成とし、該スライド部を進出状態とさせて該スライド部の底板側端部を前記底板の上面の被当接部に当接させることで、前記側壁の下端を床面から浮かせた状態に支持する構造としてもよい。
【発明の効果】
【００１２】
本発明に係る前記収納庫によれば、当該収納庫を移動させることが不要な場合（通常の使用状態等）においては、側壁を降下させた状態（下方位置）とすることで、側壁の下端が床面に当接した状態となり、当該収納庫の移動が阻止され、容易には移動され難い状態となる（以下、移動阻止状態と略す場合がある。）。この状態では、底板を囲むように収納する側壁の下端が床面に当接しているので、車輪が露出せず、見栄えが良い。
一方、当該収納庫を移動させたい場合には、該側壁を底板に対して上方に移動させ、該側壁の下端を床面から浮かせた状態に支持部によって支持させることで、底板の車輪が転動可能となり、当該収納庫を容易に移動させることができる（以下、可動状態と略す場合がある。）。
上記移動阻止状態から可動状態への切り換えは、車輪を有した底板に対して、側壁を上方に移動させ、その下端を床面から浮かせた状態に支持部によって支持させることで行えるので、収納庫全体や底板等を上下に移動させる必要がない。従って、当該収納庫内に収納され、底板に載置された物品が、収納庫全体や底板等の上下動によって移動することがない。
また、物品が載置されて該物品の荷重が掛かる底板等を上下動させる必要がないため、当該収納庫の移動阻止状態と可動状態との切り換えを、載置された物品及び底板等の荷重を受けることなく行うことができる。
【００１３】
本発明に係る前記収納庫において、前記側壁の内周面に、前記底板の周縁部上面に対面する段部を周設するようにすれば、側壁と底板との間の隙間を目立ち難くすることができる。すなわち、本発明に係る収納庫は、側壁を底板に対して上下動可能な構成としているので、側壁の内周面と底板の外周端面との間にこれらの相対的な移動を許容するための隙間（クリアランス）を設ける必要があるが、上記段部を周設することで、該隙間を目立ち難くすることができる。また、該隙間から収納物が落下するようなことを防止することもできる。
【００１４】
本発明に係る前記いずれかの収納庫において、当該収納庫を、平面視して略方形状とし、前記支持部を四隅近傍にそれぞれ設けるようにすれば、側壁の下端を床面から浮かせて、上記可動状態とした際に、該側壁等の荷重を四隅近傍のそれぞれに設けられた支持部によって効率的に支持することができる。
また、四隅近傍に支持部を設けることで、当該支持部が側壁の内周面から突出して設けられているような場合においても目立ち難くすることができる。
【００１５】
本発明に係る前記いずれかの収納庫において、前記支持部を、前記側壁の下端を床面から浮かせた状態に支持する支持状態と、その支持状態を解除して、該側壁の下降を許容する解除状態との二段階に切り換えられる構造とすれば、例えば、ねじ操作等によって上記移動阻止状態と上記可動状態とを切り換える支持部とするような場合に比べて、簡易な操作により上記移動阻止状態にする解除状態と上記可動状態にする支持状態とを切り換えることができる。
【００１６】
本発明に係る前記いずれかの収納庫において、前記支持部を、前記側壁の内周側に取り付けられ、かつ前記底板に対して上下に進退し得るスライド部と、該スライド部の進出状態を保持する保持部とを備えた構成とし、該スライド部を進出状態とさせて該スライド部の底板側端部を前記底板の上面の被当接部に当接させることで、前記側壁の下端を床面から浮かせた状態に支持する構造とすれば、側壁の上下動の方向と、支持部におけるスライド部の底板に対する進退方向とがいずれも上下に沿った方向となる。従って、該側壁の上下動に連動乃至は関連させて、支持部の操作が可能となり、例えば、水平方向に進退するようなスライド部によって支持部を構成する態様に比べて、上記移動阻止状態と上記可動状態とを切り換える際の操作性が良い。
【図面の簡単な説明】
【００１７】
【図１】（ａ）、（ｂ）は、いずれも本発明に係る収納庫の一実施形態を模式的に示し、（ａ）は、図２（ｂ）におけるＸ−Ｘ線矢視に対応させた概略縦断面図、（ｂ）は、図３におけるＹ部を拡大して示す概略斜視図である。
【図２】（ａ）は、同収納庫の概略斜視図、（ｂ）は、同収納庫の一部分解概略平面図である。
【図３】同収納庫の概略分解斜視図である。
【図４】（ａ）、（ｂ）は、図１（ａ）、（ｂ）にそれぞれ対応させた図である。
【発明を実施するための形態】
【００１８】
以下に本発明の実施の形態について、図面に基づいて説明する。
図１〜図４は、本実施形態に係る収納庫について説明するための説明図である。
尚、図２（ｂ）では、蓋体の図示を省略している。
【００１９】
本実施形態に係る収納庫１は、図１乃至図３に示すように、上下に開口した四角筒型の側壁３と、該側壁３の上方開口を開閉自在に閉塞する蓋体２と、該側壁３の下部側に配置され、側壁３内に収納される底板６とを備えている。
蓋体２は、側壁３の形状に対応させた略方形板状とされ、図２（ａ）に示すように、側壁３の上端に載置されて、その上方開口を閉塞し、当該収納庫１の天板としても機能する。一方、図３に示すように、蓋体２を側壁３の上端から取り外すことで、側壁３の上方開口が開放される。
【００２０】
側壁３は、本実施形態では、図２（ｂ）に示すように、平面視して略方形（図例では略正方形）の枠形状とされ、当該収納庫１の収納空間の四周側壁を構成している。
底板６は、上記した蓋体２と同様、側壁３の形状に対応させた略方形板状とされ、当該底板６の外周端面と、側壁３の下側部位３ｃにおける内周面３ｂとの間に、当該底板６と、側壁３との相対的な上下方向への移動を許容する僅かな隙間（クリアランス）を隔てて、側壁３の下側部位３ｃ内に収納されている。
この底板６の下面には、各隅部近傍に４つのキャスター７が取り付けられている（図３参照）。また、この底板６の上面は、物品８が載置される載置部として機能する。
【００２１】
側壁３の内周面３ｂには、周方向に沿って、その全周に亘って桟部材４が固着されている。
この桟部材４は、図１（ａ）に示すように、底板６の周縁部上面６ａに、その下面（段差面）４ａが対面する構造とされている。すなわち、この桟部材４は、底板６の周縁部上面６ａに対面する段部を構成する。このような段部を側壁３の内周面３ｂに周設することで、側壁３と底板６との間の隙間を目立ち難くすることができる。すなわち、本実施形態に係る収納庫１は、側壁３を底板６に対して上下動可能な構成としているので、側壁３の内周面と底板６の外周端面との間にこれらの相対的な移動を許容するための上記隙間を設ける必要があるが、このような段部を周設することで、該隙間を上記段部によって目立ち難くすることができる。また、この段部によって、該隙間から収納物が落下するようなことを防止することもできる。
【００２２】
また、桟部材４は、側壁３の内周面３ｂにおける下端部側寄りに設けられている。この桟部材４の高さ位置は、図１（ａ）に示すように、側壁３の下端３ａを床面９に当接させた状態で、底板６の周縁部上面６ａに、当該桟部材４の下面４ａが近接対面する位置とすることが好ましい。換言すれば、側壁３の下端３ａを床面９に当接させた状態で、この桟部材４の下面４ａの下方空間を区画形成する側壁３の下側部位３ｃ内に、キャスター７を含み、底板６の全体を収納し得る程度の位置に、桟部材４の下面４ａが位置するように桟部材４を設けることが好ましい。
また、本実施形態では、この桟部材４に、側壁３の下端３ａを床面９から浮かせた状態で、側壁３を底板６に対して支持する支持部を構成する４つの支持具５を固着している。
【００２３】
支持具５は、本実施形態では、図２（ｂ）に示すように、平面視して略方形状とされた当該収納庫１の四隅近傍に位置するようにそれぞれ設けられている。
この支持具５は、図１及び図４に示すように、底板６に対して上下に進退し得るスライド部を構成するスライド柱体５ａと、このスライド柱体５ａをスライド自在に案内し、側壁３（図例では桟部材４の内周側面）に取り付け固定される取付案内部としての案内筒５ｅとを備えた構成とされている。
スライド柱体５ａは、上下方向に長い円柱形状とされ、その外周面には、略水平方向に突出した係止突起５ｂが設けられている。
案内筒５ｅは、スライド柱体５ａの形状に対応させた上下に開口する筒形状とされ、その桟部材４側には、桟部材４に固着される取付片５ｄが設けられている。また、この案内筒５ｅの収納空間側には、スライド柱体５ａに設けられた係止突起５ｂを、上下にスライド自在に案内するスライド溝５ｆと、このスライド溝５ｆに直交するように、当該スライド溝５ｆの下端に連成され、係止突起５ｂを係止する係止溝５ｇとが開設されている。
【００２４】
上記構成とされた支持具５は、図４（ｂ）に示すように、スライド柱体５ａの係止突起５ｂが、案内筒５ｅの係止溝５ｇに位置して係止された状態（ロック状態）では、案内筒５ｅに対するスライド柱体５ａの上下方向に沿う移動が阻止される構成とされる。この状態では、スライド柱体５ａの下側部位が案内筒５ｅの下端開口から比較的、大きく進出した状態となる。すなわち、これらスライド柱体５ａの係止突起５ｂと、案内筒５ｅの係止溝５ｇとが、スライド柱体５ａの進出状態を保持する保持部として機能し、また、係止突起５ｂは、当該支持具５の操作部としても機能する。
一方、係止突起５ｂをして、スライド柱体５ａを周方向に回転させ、係止溝５ｇへの係止突起５ｂの係止を解除させ、スライド溝５ｆに係止突起５ｂを位置させた状態では、案内筒５ｅに対するスライド柱体５ａの上下方向に沿う移動が可能となる構成とされている（解除状態）。
【００２５】
上記構成とされた蓋体２、側壁３及び底板６は、図３に示すように、側壁３の下方開口から底板６を受け入れるようにして、側壁３の下側部位３ｃ内に底板６を収納させ、側壁３の上方開口を蓋体２によって閉塞することで、図２（ａ）に示すように、当該収納庫１が組み付けられる。また、これら蓋体２、側壁３及び底板６によって区画形成された空間が、物品８等を収納するための収納空間となる。
尚、上記各部材は、例えば、木質系材料や合成樹脂系材料、金属系材料等から形成するようにしてもよい。また、蓋体２の上面を畳状の部材によって構成するようにしてもよい。
【００２６】
次に、上記構成とされた当該収納庫１における移動阻止状態及び可動状態並びにこれらの状態を切り換える手順の一例について図１及び図４に基づいて説明する。
＜移動阻止状態＞
この移動阻止状態では、図１に示すように、支持具５は上記解除状態とされており、そのスライド柱体５ａの底板側端部５ｃ（図４（ｂ）参照）が底板６の上面の被当接部６ｂ（図例では上面と同一面）に当接して規制されて、案内筒５ｅの下端開口からのスライド柱体５ａの進出量が僅かな状態である。また、この状態では、キャスター７を含んで底板６の全体が側壁３の下側部位３ｃ内に収納され、かつ側壁３の下端３ａが全周に亘って床面９に当接した状態となる。この状態では、側壁３の下端３ａと床面９との摩擦抵抗等により、当該収納庫１の移動が阻止され、容易には移動され難い状態である。
【００２７】
＜可動状態への切り換え＞
上記移動阻止状態から可動状態に切り換える場合は、図４（ａ）に示すように、蓋体２を側壁３の上端から取り外し、側壁３を上方に向けて持ち上げる。この側壁３の上方への移動に伴って、桟部材４に固着された案内筒５ｅが上方に移動する。一方、スライド柱体５ａは自重により、その底板側端部５ｃが底板６の被当接部６ｂに規制されて上下への移動はなされない状態である。このように、側壁３を持ち上げて、スライド柱体５ａと案内筒５ｅとを上下方向に沿って相対的に移動させ、スライド柱体５ａの係止突起５ｂが案内筒５ｅのスライド溝５ｆの下端に位置すれば、係止突起５ｂをしてスライド柱体５ａを周方向に沿って回転させ、その係止突起５ｂを係止溝５ｇに係止させて、上記ロック状態とする。
【００２８】
＜可動状態＞
上記のように各支持具５を、ロック状態にすれば、案内筒５ｅの下端開口からスライド柱体５ａが大きく進出した状態で保持され、その底板側端部５ｃが底板６の各被当接部６ｂに当接し、図４（ａ）に示すように、側壁３の下端３ａを床面９から浮かせた状態で、側壁３を底板６に対して各支持具５によって支持する支持状態となる。
上記支持状態では、側壁３の下端３ａが床面９から浮いているので、上記した側壁３の下端３ａと床面９との摩擦抵抗がなくなり、底板６に設けられた各キャスター７の転動が可能となり、当該収納庫１を容易に移動させることができる可動状態となる。
この可動状態では、当該収納庫１を側面視して、各キャスター７の一部が側壁３の下方開口から露出した状態となり、底板６は、側壁３の下側部位３ｃに収納された状態である。
【００２９】
尚、上記可動状態における床面９と側壁３の下端３ａとの間には、各キャスター７の転動が可能となる程度の空間が形成されるようにすればよく、これに応じて、各支持具５における側壁３への取付部（本実施形態では、案内筒５ｅ）に対するスライド部（本実施形態では、スライド柱体５ａ）の底板６側への進出量、及び進出状態を保持する保持部（本実施形態では、スライド柱体５ａの係止突起５ｂ、及び案内筒５ｅの係止溝５ｇ）の位置等を適宜、設定すればよい。
また、この可動状態における床面９からの側壁３の下端３ａの浮かせ度合いを変えられるように、例えば、上記した係止溝をスライド溝の高さ方向に沿って複数箇所に設けるようにしてもよい。
【００３０】
＜移動阻止状態への切り換え＞
一方、上記とは逆に、上記可動状態から上記移動阻止状態に切り換える場合は、上記各支持具５を、上記ロック状態から上記解除状態とすることで、スライド柱体５ａと案内筒５ｅとの相対的な上下方向に沿う移動が可能となる。これにより、側壁３の下降が許容され、側壁３が下降し、側壁３の下端３ａが床面９に当接し、上記移動阻止状態への切り換えがなされる。
【００３１】
以上のように、本実施形態に係る収納庫１では、当該収納庫１の移動を阻止する移動阻止状態と、当該収納庫１を容易に移動させることができる可動状態とを、容易に切り換えることができる。
また、キャスター７を有した底板６に対して、側壁３を上方に移動させて、その下端３ａを床面９から浮かせた状態に、各支持具５によって側壁３を底板６に対して支持させる構成としているので、収納庫全体や底板等を上下に移動させる必要がない。従って、当該収納庫１内に収納され、底板６に載置された物品８が、上下動によって移動するようなことがない。また、物品８が載置されて物品８の荷重が掛かる底板６を上下動させる必要がないため、当該収納庫１の移動阻止状態と可動状態との切り換えを、載置された物品８及び底板６等の荷重を受けることなく行うことができる。
【００３２】
さらに、本実施形態では、当該収納庫１を、平面視して略方形状とし、各支持具５を、その四隅近傍にそれぞれ設けるようにしているので、側壁３の下端３ａを床面９から浮かせて、上記可動状態とした際に、側壁３等の荷重を四隅近傍のそれぞれに設けた各支持具５によって効率的に支持することができる。
また、本実施形態のように、桟部材４に各支持具５を付設して、各支持具５が側壁３の内周面３ｂから突出しているような場合にも、四隅近傍に設けることで、これら支持具５を目立ち難くすることができる。
【００３３】
さらにまた、本実施形態では、上記した各支持具５は、上記ロック状態とされて、側壁３の下端３ａを床面９から浮かせた状態に支持する支持状態と、この支持状態を解除して、側壁３の下降を許容する解除状態との二段階に切り換えられる構造とされている。従って、例えば、ねじ操作等によって上記移動阻止状態と上記可動状態とを切り換える支持部とするような場合に比べて、簡易な操作により上記移動阻止状態にする解除状態と上記可動状態にする支持状態とを切り換えることができる。
【００３４】
特に、本実施形態では、側壁３の上下動に伴って、スライド柱体５ａの自重及び底板６の規制によって、側壁３に取り付けられた案内筒５ｅと、スライド柱体５ａとが相対的に上下動する構成としているので、各支持具５のロック状態と解除状態との切り換えを簡易な操作により行うことができる。
すなわち、上記した支持具５では、側壁３が上下動されることで、スライド柱体５ａが側壁３に取り付け固定された案内筒５ｅに対して進退するので、側壁３の上下動に連動して、かつ関連させた操作が可能となり、例えば、水平方向に進退するようなスライド部によって支持部を構成する態様に比べて、操作性が良い。
【００３５】
尚、本実施形態では、当該収納庫１を、平面視して略方形状としたものを例示しているが、平面視して、他の多角形状としたり、円形状や楕円形状としたりしてもよい。この場合には、上記同様の複数の支持具を均等配置したり、隅部がある場合には、各隅部近傍部位に支持具を設けたりするようにしてもよい。
また、本実施形態では、当該収納庫１の物品出し入れ用の開口を開閉自在に閉塞する蓋体２として、置き蓋型のものを例示しているが、ヒンジ部材等によって側壁に開閉自在に連結された開閉扉型の蓋体としてもよい。或いは、このような蓋体を設けないようにしてもよい。
【００３６】
さらに、本実施形態では、当該収納庫１の物品出し入れ用開口を上方に向けて開口させた態様としているが、側方に向けて開口したものとしてもよい。この場合は、側壁の上端部に天板を設け、側壁の一部に開口を設けるようにすればよい。例えば、直方体形状の収納庫とする場合には、一対の側板と、背板と、台輪とによって側壁を構成するような態様としてもよい。この場合、本実施形態のように側壁３の下端３ａの全周を床面に当接させ得る態様とせずに、例えば、背板部分は床面から常時、浮いた状態となるようなものとしてもよい。このように、側壁の下端の床面への当接は、全周を当接させ得る態様に限られず、当該収納庫の設置状態（通常の使用状態）における見栄えを阻害しないように、また、移動阻止状態における床面との摩擦抵抗等に応じて、降下させた状態において、側壁下端の一部のみを当接させ得る態様としてもよい。
また、このように側方に向けて開口したものにおいて、蓋体を設ける場合には、開閉扉型の蓋体としてもよい。
【００３７】
さらにまた、側壁３は、図面では、四角筒形状に一体形成されたように示しているが、４枚の板材を連結させて四周の側壁３を構成するようにしてもよく、或いは一体的に形成されたものとしてもよい。
また、上記可動状態とする際に、側壁を容易に持ち上げられるように、側壁の外周側に取っ手部等を設けるようにしてもよい。
さらに、本実施形態では、底板６の下面に、４つのキャスター７を取り付けた態様を例示しているが、これらキャスター７の個数、設ける箇所は図例のものに限られない。例えば、底板の下部側に下方に開口する複数の凹部を設け、これら各凹部内に、キャスターの一部を収容させて、それぞれを取り付けるような態様としてもよい。
さらにまた、当該収納庫１を容易に移動させるための車輪としては、自在に向きの変わるキャスター７に限られず、向きが固定されたコロ部材や転動部材等によって、車輪を構成してもよく、或いは、これらコロ部材とキャスター部材とを組み合わせて車輪を構成するようにしてもよい。
【００３８】
また、本実施形態では、底板６の周縁部上面６ａに対面する段部を、側壁３の内周面３ｂに固着させた桟部材４によって構成しているが、このような桟状の段部を側壁に一体的に形成するようにしてもよい。または、側壁の厚みを上下で異ならせる、或いは、側壁の縦断面形状を階段形状にすることで、このような段部を形成するようにしてもよい。
或いは、このような段部を設けないようにしてもよい。この場合は、上記した各支持具５を、側壁３の内周面３ｂに直接、取り付けるようにしてもよい。
さらに、側壁３における下端３ａ近傍の内周面に、底板６の抜け止め用の突起や桟部材等の抜け止め部を設けるようにしてもよい。これによれば、例えば、上記可動状態とする際に、側壁を上方に持ち上げ過ぎるようなことを防止でき、また、底板６が側壁３の下方開口から抜けるようなことを防止できる。
【００３９】
さらにまた、側壁３の下端３ａを床面９から浮かせた状態で、側壁３を底板６に対して支持する支持部としては、上記した支持具５に限られず、種々の態様の適用が可能である。また、支持具の個数、及び取り付け位置も図例の位置に限られず、複数個の支持具を、四隅近傍以外に設けたり、また、上記したような段部を設けた場合には、上記段部の下面（段差面）から底板６の上面に向けて進退するスライド部を設けたりするような態様としてもよい。すなわち、側壁または桟部材にスライド部を進退自在に収容させるような態様としてもよい。
また、本実施形態のように、側壁側に支持具を設ける態様に代えて、底板側に設けるようにしてもよい。例えば、底板に取り付けられる案内部と、側壁の被当接部（例えば段部等）に向けて案内部に沿って上下に進退するスライド部と、該スライド部の進出状態を保持する保持部とを備えたものとしてもよい。このようなものでは、スライド部を進出させた状態とし、このスライド部の進出方向先側端部を、側壁の被当接部に当接させることで、側壁の下端を床面から浮かせた状態で、側壁を底板に対して当該支持部によって支持させることができる。すなわち、側壁の内周側、及び底板のうちのいずれか一方に、案内部を設け、この案内部に沿って上下に、かつ他方の被当接部に向けて進退し得るスライド部（進退部）を設け、さらに、この進退部の進出状態を支持する支持部を設ける態様としてもよい。
【００４０】
さらに、図例のように、ロック状態と解除状態との切り換えが二段階でなされる支持部に限られず、例えば、雌ねじ部と雄ねじ部材とによって支持部を構成するようにしてもよい。すなわち、雌ねじ部を上記いずれか一方に設けられる案内部とし、雄ねじ部材を上記スライド部（進退部）とし、この雄ねじ部材と雌ねじ部との螺合部を、スライド部（進退部）を進出させた状態に保持する保持部として把握し、この雄ねじ部材を、上記他方の被当接部に向けてねじ操作によって進退させる態様としてもよい。これによれば、このねじ操作により、側壁の上下動が連動してなされる。或いは、本実施形態では、上記スライド部としてのスライド柱体５ａが自重と底板６の上面による規制により、側壁３の上下動に連動して、側壁３が上下動されることで、案内部としての案内筒５ｅに対して進退する構成とした支持具５を例示しているが、手動によりスライド柱体５ａをスライドさせて、上記同様に二段階に切り換えがなされる構成としてもよい。
さらにまた、本実施形態及び上記した各例では、上下に進退されるスライド部（進退部）を底板または側壁の被当接部に当接させて、側壁の下端を浮かせた状態に支持させる構成としているが、水平方向に進退するスライド部（進退部）によって底板と側壁との相対的な上下動をロックし、側壁の下端を床面から浮かせた状態に支持する構造としてもよい。例えば、底板に、当該底板の周端部から側壁内周面に向けて進出（出没）するスライド片または雄ねじ部材等のスライド部（進退部）、及びこのスライド部（進退部）を案内する案内部を設ける一方、側壁の内周面に、このスライド部（進退部）を受け入れる凹部を設けて、これらスライド部（進退部）と凹部とによって支持部を構成するようにしてもよい。上記水平方向に進退するスライド片を有した支持部によっても上記同様、スライドさせることで、二段階の切り換えが可能となり、操作性が良い。
【００４１】
或いは、上記したような上下方向または水平方向に進退するスライド部（進退部）と、このスライド部（進退部）を進出させた状態に保持する保持部または受け入れる凹部とを設ける態様に代えて、例えば、底板（または側壁）に、上下方向のスライド溝及び水平方向の係止溝を有した案内部を設け、側壁（または底板）に、水平方向に回動またはスライド自在の係止部材を設けて、この係止部材を底板（または側壁）の案内部のスライド溝及び係止溝に沿って移動させることで、上記ロック状態と解除状態との二段階に切り換えられる支持部としてもよい。
また、上記したように二段階に切り換えられる支持部においては、側壁を持ち上げることで、浮かせた状態を支持する側に自動的にロックがなされるように、バネ部材等を案内部などに設ける態様としてもよい。
さらに、上記各例では、支持部の切り換えのための操作が、側壁の内周側からなされる態様について説明したが、側壁の外周側から操作が可能なように支持部の操作部を構成するようにしてもよい。
【符号の説明】
【００４２】
１        収納庫
３        側壁
３ａ      側壁の下端
３ｂ      側壁の内周面
４        桟部材（段部）
５        支持具（支持部）
５ａ      スライド柱体（スライド部）
５ｂ      係止突起（保持部）
５ｃ      底板側端部
５ｇ      係止溝（保持部）
６        底板
６ａ      底板の周縁部上面
６ｂ      底板の上面の被当接部
７        キャスター（車輪）
８        物品
９        床面
【図１】
2011000350.tif 000003
【図２】
2011000350.tif 000004
【図３】
2011000350.tif 000005
【図４】
2011000350.tif 000006